(57)【要約】【課題】適切なタイミングで自動的に映像表示部の塵埃等の汚れを除去する装置を有するテレビジョン放送受信機を提供することにある。【解決手段】表示部９と、所定の時間を計測するタイマカウンタ１９と、表示部９に付着した汚れを除去する除去部２２と、表示部９にスクリーンセーバを出力するスクリーンセーバ生成部１２と、所定回数の電源投入または切断が実行される条件、初回電源投入時からの所定の累積時間が経過する条件、所定の累積視聴時間が経過する条件の内、何れか１つを満たした時点で、電源が切断された状態であれば除去部２２を動作させ、電源が投入された状態であれば次回電源切断時に除去部２２を動作させ、さらに表示部９にスクリーンセーバが出力された場合に除去部２２を動作させる制御部２３とを備えるテレビジョン放送受信機１。【選択図】      図４
2006157699.tif 000002
【特許請求の範囲】
【請求項１】
表示部と、
所定の時間を計測するタイマカウンタと、
前記表示部に付着した汚れを除去する除去部と、
前記表示部にスクリーンセーバを出力するスクリーンセーバ生成部と、
所定回数の電源投入または切断が実行される条件と、初回電源投入時からの所定の累積時間が経過する条件と、所定の累積視聴時間が経過する条件の内、何れか１つを満たした時点で、電源が切断された状態であれば、前記除去部を動作させ、電源が投入された状態であれば、次回電源切断時に前記除去部を動作させ、さらに、スクリーンセーバが前記表示部に出力された場合に前記除去部を動作させ、前記所定回数と前記所定の累積時間と、前記所定の累積視聴時間の設定を変更可能である制御部と、を備えることを特徴とするテレビジョン放送受信機。
【請求項２】
表示部と、
所定の時間を計測するタイマカウンタと、
前記表示部に付着した汚れを除去する除去部と、
所定回数の電源投入または切断が実行される条件、若しくは、所定時間が経過する条件の何れかを満たした時点で、電源が切断された状態であれば、前記除去部を動作させ、電源が投入された状態であれば、次回電源切断時に前記除去部を動作させる制御部と、を備えることを特徴とするテレビジョン放送受信機。
【請求項３】
前記テレビジョン放送受信機は、表示部にスクリーンセーバを出力するスクリーンセーバ生成部をさらに備えており、
前記制御部は、さらに前記表示部にスクリーンセーバが出力された場合に前記除去部を動作させることを特徴とする、請求項２に記載のテレビジョン放送受信機。
【請求項４】
前記所定時間は、初回電源投入時からの所定の累積時間であることを特徴とする、請求項２乃至３の何れか１つに記載のテレビジョン放送受信機。
【請求項５】
前記所定時間は、所定の累積視聴時間であることを特徴とする、請求項２乃至４の何れか１つに記載のテレビジョン放送受信機。
【請求項６】
前記制御部は、前記所定回数及び前記所定時間の設定を変更可能であることを特徴とする、請求項２乃至５に記載のテレビジョン放送受信機。
【発明の詳細な説明】
【技術分野】
【０００１】
本発明は、テレビジョン放送受信機、特に映像表示部に付着した塵埃等の汚れを除去する装置を備えるテレビジョン放送受信機に関する。
【背景技術】
【０００２】
一般に、テレビジョン放送受信機やモニタ等の映像表示部は、静電気による塵埃が付着し易く、定期的に清掃をしなければ映像表示部に出力された画面が見難くなる。従来、映像表示部の清掃はユーザが布等を使用して行っているが、清掃作業に時間と労力が必要である。こうした問題を解決する為に、様々な発明が提案されている。
【０００３】
例えば、特許文献１には、可撓性透明被覆カバーを用いた映像表示部の塵埃除去装置について記載されている。この塵埃除去装置では、２本のローラーに巻回された可撓性透明被覆カバーによって映像表示部を覆い、可撓性透明被覆カバーが塵埃により汚れた場合に電源スイッチを押下してローラーを回転させ、該被覆カバーを移動させる構成について記載されている。また、特許文献２には、電源投入時に清掃棒が映像表示部上を往復することによって、映像表示部の清掃を行う自動清掃式画像表示装置について記載されている。そして、特許文献３には、映像表示部の前に左右から開閉する電動シャッタを設けたプラズマディスプレイ装置について記載されている。該電動シャッタは、開閉部端の裏側に刷毛を備えており、電源の投入／切断に連動して電動シャッタが開閉され、刷毛が映像表示部の塵埃を取り除く。さらに該文献には、電源を切断した後に所定時間経過後に電動シャッタを閉じる構成についても記載されており、これにより、電源投入／切断の時間間隔が短い場合に電動シャッタが毎回開閉することを回避することが出来る。
【特許文献１】特開２０００−１５２１２８号公報（第３−４頁、第３図）
【特許文献２】特開平１−１５７５９４号公報（第２頁、第１図）
【特許文献３】特開平１０−１７４０２２号公報（第３−４頁、第１図）
【発明の開示】
【発明が解決しようとする課題】
【０００４】
上述の通り、特許文献１に記載の塵埃除去装置では、可撓性透明被覆カバーの汚れ具合の判定をユーザが行わなければならず、該被覆カバーの移動を自動的に行うことが出来ない。特許文献２に記載の自動清掃式画像表示装置では、映像表示部の清掃を電源投入時に自動的に行うことは出来るが、電源投入／切断を短時間に繰り返し行った場合に、映像表示部が汚れていない場合でも映像表示部の清掃を電源投入時に毎回行うことになるので、不必要な清掃作業及び消費電力が必要となる。また、特許文献３に記載のプラズマディスプレイ装置では、電源切断後に所定時間経過しなければ電動シャッタを閉じないので、電源投入／切断の間隔が短い場合に、電動シャッタの不必要な開閉を回避することが出来る。しかし、プラズマディスプレイ装置の電源切断後に、電源の投入を所定時間以上の間隔で行う作業を繰り返し実行した場合、電動シャッタの開閉が電源の投入／切断に伴って実行されることになる。ディスプレイの保護という観点からすれば、こうした電動シャッタの開閉は適切な動作であると考えることは出来るが、塵埃除去動作という観点からすると、必要以上の動作を実行しており、適切なタイミングで映像表示部の塵埃を除去していると考えることは出来ない。
【０００５】
したがって、本発明の目的は、適切なタイミングで自動的に映像表示部の塵埃等の汚れを除去する装置を有するテレビジョン放送受信機を提供することにある。
【課題を解決するための手段】
【０００６】
第１発明に係るテレビジョン放送受信機は、表示部と、所定の時間を計測するタイマカ
ウンタと、表示部に付着した汚れを除去する除去部と、表示部にスクリーンセーバを出力するスクリーンセーバ生成部と、所定回数の電源投入または切断が実行される条件と、初回電源投入時からの所定の累積時間が経過する条件と、所定の累積視聴時間が経過する条件の内、何れか１つを満たした時点で、電源が切断された状態であれば、除去部を動作させ、電源が投入された状態であれば、次回電源切断時に除去部を動作させ、さらに、スクリーンセーバが表示部に出力された場合に除去部を動作させ、所定回数と所定の累積時間と、所定の累積視聴時間の設定を変更可能である制御部と、を備えることを特徴とする。
【０００７】
このテレビジョン放送受信機によれば、所定回数の電源投入または切断が実行される条件と、所定時間が経過する条件の何れか１つを満たす場合に、電源が切断された状態であれば制御部が除去部を動作させ、電源が投入された状態であれば、次回電源切断時に制御部が除去部を動作させる。したがって、電源が投入された状態、つまり、ユーザが表示部への映像出力を視聴している際に、所定の条件を満たしたとしても、次回の電源切断時まで制御部が除去部の動作を保留することが出来るので、適切なタイミングでユーザの視聴を妨げずに表示部に付着した塵埃等の汚れを除去することが出来る。
【０００８】
また、一般にテレビジョン放送受信機の表示部は、電源投入または切断時に発生する静電気によって塵埃等を吸着しやすい状況になっているので、所定回数の電源投入または切断に応じて除去部を動作させることによって、適切なタイミングで表示部の汚れを除去することが出来る。さらに、時間経過と共に表示部に付着する塵埃等の汚れは増加する傾向にあるので、初回電源投入時からの所定の累積時間の経過や、所定の累積視聴時間の経過に応じて除去部を動作させることによって、適切なタイミングで表示部の汚れを除去することが出来る。
【０００９】
また、スクリーンセーバは、表示部に同一の静止画が所定時間出力されること等による画面の焼き付きを防ぐために使用される。一般に、スクリーンセーバが起動された状態では、ユーザが表示部の映像出力を積極的に視聴していると考える必要はないので、スクリーンセーバ起動時に除去部を動作させることによって、適切なタイミングで表示部の汚れを自動的に除去することが出来る。
【００１０】
また、このテレビジョン放送受信機によれば、電源投入または切断の所定回数、所定時間の設定を変更可能であるので、テレビジョン放送受信機が設置された場所の清掃状態や、テレビジョン放送受信機の使用頻度等、ユーザ毎のニーズに合わせて設定を変更することが出来る。
【００１１】
第２発明に係るテレビジョン放送受信機は、表示部と、所定の時間を計測するタイマカウンタと、表示部に付着した汚れを除去する除去部と、所定回数の電源投入または切断が実行される条件、若しくは、所定時間が経過する条件の何れかを満たした時点で、電源が切断された状態であれば、除去部を動作させ、電源が投入された状態であれば、次回電源切断時に除去部を動作させる制御部と、を備えることを特徴とする。
【００１２】
このテレビジョン放送受信機によれば、所定回数の電源投入または切断が実行される条件と、所定時間が経過する条件の何れか１つを満たす場合に、電源が切断された状態であれば制御部が除去部を動作させ、電源が投入された状態であれば、次回電源切断時に制御部が除去部を動作させる。したがって、電源が投入された状態、つまり、ユーザが表示部への映像出力を視聴している際に、所定の条件を満たしたとしても、次回の電源切断時まで制御部が除去部の動作を保留することが出来るので、適切なタイミングでユーザの視聴を妨げずに表示部に付着した塵埃等の汚れを除去することが出来る。
【００１３】
また、一般にテレビジョン放送受信機の表示部は、電源投入または切断時に発生する静電気によって塵埃等を吸着しやすい状況になっているので、所定回数の電源投入または切断に応じて除去部を動作させることによって、適切なタイミングで表示部の汚れを除去することが出来る。さらに、時間経過と共に表示部に付着する塵埃等の汚れは増加する傾向にあるので、所定時間の経過に応じて除去部を動作させることによって、適切なタイミングで表示部の汚れを除去することが出来る。
【００１４】
第３発明に係るテレビジョン放送受信機は、第２発明に係るテレビジョン放送受信機に於いて、表示部にスクリーンセーバを出力するスクリーンセーバ生成部をさらに備えており、制御部は、さらに表示部にスクリーンセーバが出力された場合に除去部を動作させることを特徴とする。
【００１５】
スクリーンセーバは、表示部に同一の静止画が所定時間出力されること等による画面の焼き付きを防ぐために使用される。一般に、スクリーンセーバが起動された状態では、ユーザが表示部の映像出力を積極的に視聴していると考える必要はないので、スクリーンセーバ起動時に制御部が除去部を動作させることによって、適切なタイミングで表示部に付着した塵埃等の汚れを自動的に除去することが出来る。
【００１６】
第４発明に係るテレビジョン放送受信機は、第２乃至第３発明の何れか１つに係るテレビジョン放送受信機に於いて、所定時間は、初回電源投入時からの所定の累積時間であることを特徴とする、
このテレビジョン放送受信機によれば、初回電源投入時からの所定の累積時間が経過した場合に、電源が切断された状態であれば、制御部が除去部を動作させ、電源が投入された状態であれば、次回電源切断時に制御部が除去部を動作させる。つまり、テレビジョン放送受信機の使用状況に関わらず、初回電源投入時を基準に所定の累積時間が経過した場合に表示部に付着した塵埃等の汚れを自動的に除去することが出来るので、利便性が高い。
【００１７】
第５発明に係るテレビジョン放送受信機は、第２乃至第４発明の何れか1つに係るテレビジョン放送受信機に於いて、所定時間は、所定の累積視聴時間であることを特徴とする。
【００１８】
このテレビジョン放送受信機によれば、所定の累積視聴時間が経過した場合に、電源が切断された状態であれば、制御部が除去部を動作させ、電源が投入された状態であれば、次回電源切断時に制御部が除去部を動作させる。つまり、テレビジョン放送受信機の使用頻度に応じて表示部に付着した塵埃等の汚れを自動的に除去することが出来るので、利便性が高い。
【００１９】
第６発明に係るテレビジョン放送受信機は、第２乃至第５発明の何れか1つに係るテレビジョン放送受信機に於いて、前記制御部は、前記所定回数及び前記所定時間の設定を変更可能であることを特徴とする。
【００２０】
このテレビジョン放送受信機によれば、電源投入または切断の所定回数、所定時間の設定を変更可能であるので、テレビジョン放送受信機が設置された場所の清掃状態や、テレビジョン放送受信機の使用頻度等、ユーザ毎のニーズに合わせて設定を変更することが出来る。
【発明の効果】
【００２１】
本発明によれば、ユーザの視聴を妨げることなく、適切なタイミングで自動的に映像表示部の塵埃等の汚れを除去する装置を備えるテレビジョン放送受信機を提供することが出来る。
【発明を実施するための最良の形態】
【００２２】
（１）第１実施形態
[構造]
図１は、本実施形態に係るテレビジョン放送受信機１の外観を示す斜視図である。図１に図示されているように、テレビジョン放送受信機１の筐体１００は、前面部１０１と背面部１０２で構成されている。前面部１０１及び背面部１０２は、樹脂成形によって成形されており、前面部１０１には開口部１０１ａが形成されている。そして、該開口部１０
１ａから表示部９の映像表示面が露出するように設置される。なお、本実施形態に於いては、テレビジョン放送受信機１の表示部９として使用されているのは、映像表示面が略平面であるフラット型ブラウン管（ＣＲＴ）である。また、前面部１０１に形成された開口部１０１ａの上下両方向には、前面部１０１の上下両面と略並行に、略直方体のレール部１０１ｂが前面部１０１と一体に樹脂形成されており、レール部１０１ｂの対向する面には、溝部１０１ｃが形成されている。なお、本実施形態のテレビジョン放送受信機１は、表示部１０にフラット型ブラウン管を採用しているが、表示面が略平面ではない、通常のＣＲＴを使用しても良い。この場合、レール部１０１ｂは表示部１０の表示面の曲線と平行になるように樹脂成形すればよい。また、ＣＲＴ以外に液晶ディスプレイやプラズマディスプレイを使用しても良い。
【００２３】
除去部２２は略直方体の部位であり、１つの面に塵埃等の汚れを除去する繊維シート（図示せず）が交換可能に取り付けられている。なお、本実施形態に於いては、除去部２２の１つの面に繊維シートを設置しているが、スポンジ等、表示部９の映像表示面に付着した塵埃等の汚れを除去することができ、且つ、映像表示面に傷を付けない材質であれば、適宜使用することが出来る。除去部２２は、繊維シートが設置された面を表示部９の映像表示面と対向するように、レール部１０１ｂに形成された溝部１０１ｃに設置され、該溝部１０１ｃを平行移動することによって表示部９の映像出力面に付着した塵埃等の汚れを除去する。
【００２４】
ここで図２（ａ）を参照して、除去部２２とその近傍の構造について説明する。図２（ａ）は、除去部２２と、表示部９の上下に形成されたレール部１０１ｂの内、下側のレール部１０１ｂの内部に設置された駆動部２１に関する斜視図である。なお、上側のレール部１０１ｂの内部に設置された駆動部２１の構造は、図２（ａ）と同様であるので、ここでは説明を省略する。駆動部２１は、モータ２１ａとスクリューシャフト２１ｂを備えており、該スクリューシャフト２１ｂが接続部２２ａのネジ穴（図示せず）に挿入されて接続されている。除去部２２は、接続部２２ａの垂直方向上方に取り外し可能な状態で嵌合されている。モータ２１ａが電源供給を受けて回転すると、モータ２１ａに接続されたスクリューシャフト２１ｂが回転し、スクリューシャフト２１ｂと挿入接続している接続部２２ａが矢印の方向に移動する。これにより、除去部２２がレール部１０１ｂに形成された溝部１０１ｃを平行移動する。なお、駆動部２１の構造は、図２（ａ）に図示された構造に限らず、例えば図２（ｂ）に図示された構造でも良い。図２（ｂ）の構造では、駆動部２１は、モータ２１ａとベルト２１ｃを備えており、接続部２２ａがベルト２１ｃに取り付けられ、接続部２２ａの垂直方向上方に除去部２２が取り外し可能に接続されている。そして、モータ２１ａが電源供給を受けて回転すると、ベルト２１ｃが回転し、ベルト２１ｃに取り付けられた接続部２２ａが矢印の方向に移動する。これにより、除去部２２がレール部１０１ｂに形成された溝部１０１ｃを平行に移動する。
【００２５】
なお、本実施形態に於いては、テレビジョン放送受信機１の筐体１００の前面部１０１に一体に形成されたレール部１０１ｂを、前面部１０１の上下両面に平行に形成する構成としたが、該レール部１０１ｂを前面部１０１の左右両面に平行に形成する構成としてもよい。この時、除去部２２は表示部９の水平方向に移動するのではなく、垂直方向に上下移動することになる。
【００２６】
[全体構成]
図３は、本実施形態に係るテレビジョン放送受信機１の概略構成図である。テレビジョン放送受信機１は、アンテナ部２、チューナ部３、復調部及び誤り訂正（ＦＥＣ）部４、デマルチプレクサ（ＤＥＭＵＸ）５、音声信号処理部６、映像信号処理部７、スピーカ部８、表示部９、デスクランブラ１０、ＯＳＤ制御部１１、スクリーンセーバ生成部１２、リモコン１３、赤外線受光部１４、操作部１５、ＲＯＭ１６、ＥＥＰＲＯＭ１７、カレン
ダクロック１８、タイマカウンタ１９、電源部２０、駆動部２１、除去部２２、制御部２３とを備えている。
【００２７】
アンテナ部２は、デジタルテレビジョン放送の放送電波を受信し、電気信号である放送信号に変換する。チューナ部３は、放送信号に所定の処理を施し、復調部及びＦＥＣ部４にこれを出力する。復調部及びＦＥＣ部４は、チューナ部３からの信号に関して復調及び誤り訂正処理を行い、ＤＥＭＵＸ５に出力する。ＤＥＭＵＸ５は、音声データ５ａ、映像データ５ｂ、及び、番組チャンネルデータ５ｃが多重化されている放送信号から、各データを分離して出力する。音声信号処理部６は、ＤＥＭＵＸ５から出力されたデジタル圧縮された音声データ５ａをデコードし、アナログ信号に変換して、スピーカ部８に出力する。映像信号処理部７は、ＤＥＭＵＸ５から出力されたデジタル圧縮された映像データ５ｂをデコードして、ＲＢＧ信号に変換し、表示部９に出力する。デスクランブラ１０は、復調された放送信号に付加されている不正視聴防止用のスクランブル信号を解除する。ＯＳＤ処理部１１は、制御部２３の制御によって、表示部９にＯＳＤ（On Screen  Display）画面を表示させる。スクリーンセーバ生成部１２は、制御部２３によって制御され、同一静止画を長時間出力した場合等に発生する画面の焼き付きを低減する為のスクリーンセーバ画面を生成し、表示部９に表示させる。
【００２８】
リモコン１３は、複数の入力キーを備えた遠隔操作装置であり、ユーザからの入力を受け付けて、赤外線発光部（図示せず）を介して、赤外線受光部１４に信号を出力する。赤外線受光部１４は、リモコン１３からの信号を制御部２３に出力する。操作部１５は、複数の入力キーを備えており、ユーザからの入力を受け付けて制御部２３に出力する。
【００２９】
ＲＯＭ１６は、不揮発性メモリであり、予め所定のデータが記憶されている。ＥＥＰＲＯＭ１７は、電気的に内容を書き換え可能な不揮発性メモリであり、制御部２３の制御によって所定のデータが記憶される。カレンダクロック１８は、日付、曜日、時刻データを管理する。タイマカウンタ１９は、制御部２３の制御によって所定の時間を計測する。電源部２０は、テレビジョン放送受信機１の電源投入及び電源切断を制御する。
【００３０】
駆動部２１は、モータ及びスクリューシャフト等で構成され（図２参照）、テレビジョン放送受信機１の筐体１００の前面部１０１と一体に樹脂成形されたレール部１０１ｂの内部に設置されている（図１参照）。駆動部２１は制御部２３の制御によって駆動され、駆動部２１と接続部２２ａを介して接続された除去部２２を、レール部１０１ｂに形成された溝部１０１ｃに於いて動作させる。
【００３１】
制御部２３は、リモコン１２及び操作部１４からのユーザ入力を受け付けるとともに、チューナ部３、デスクランブラ１０、ＯＳＤ処理部１１、スクリーンセーバ生成部１２、ＲＯＭ１６、ＥＥＰＲＯＭ１７、カレンダクロック１８、タイマカウンタ１９、電源部２０、駆動部２１を制御する。
【００３２】
なお、本実施形態に於いて、テレビジョン放送受信機１をデジタルテレビジョン放送受信機としたが、アナログテレビジョン放送受信機であってもよい。
【００３３】
[汚れ除去方法] 
図４は、本実施形態に係る汚れ除去方法に関するフローチャートである。ステップ１０１に於いて、リモコン１３、若しくは、操作部１５に対して、テレビジョン放送受信機１の電源投入／切断動作の入力が行われ、該動作が電源投入である場合には（Ｓ１０２）、ステップ１０３に移行する。
【００３４】
ステップ１０３に於いて、制御部２３は、電源投入／切断入力が所定回数以上（例えば１０回）実行されたか否かを判定する。なお、電源投入／切断の所定回数については、テレビジョン放送受信機１の出荷時点でデフォルトの数値をＥＥＰＲＯＭ１７に記憶させておき、リモコン１３、若しくは、操作部１５へのユーザ入力によって、適宜データを変更
することが出来る。そして、電源投入／切断作業が所定回数以上実行された場合、ステップ１０６に移行する。反対に、ステップ１０３に於いて電源投入／切断作業が所定回数以上実行されなかった場合、ステップ１０４に移行する。
【００３５】
ステップ１０４に於いて、テレビジョン放送受信機１の初回電源投入時を基準に、所定の累積時間が経過した場合、ステップ１０６に移行する。具体的には、テレビジョン放送受信機１の初回電源投入時に於いて、制御部２３はタイマカウンタ１９を制御して所定時間（例えば２４時間）を計測させ、所定時間の計測完了時に再び該制御を繰り返す。したがって、該累積時間が一定時間のインターバルとして繰り返し計測されることになる。なお、テレビジョン放送受信機１の初回電源投入時からの所定の累積時間については、テレビジョン放送受信機１の出荷時点でデフォルトの時間データをＥＥＰＲＯＭ１７に記憶させておき、リモコン１３、若しくは、操作部１５へのユーザ入力によって、該累積時間を適宜変更することが出来る。また、カレンダクロック１８は、日時、曜日、時刻を管理することが可能であるので、テレビジョン放送受信機１の初回電源投入時からの累積時間をカレンダクロック１６の制御により計測させる構成としてもよい。反対に、ステップ１０４に於いて、所定の累積時間が経過していない場合には、ステップ１０５に移行する。
【００３６】
ステップ１０５に於いて、ユーザによるテレビジョン放送受信機１の所定の累積視聴時間が経過した場合、ステップ１０６に移行する。具体的には、制御部２３がタイマカウンタ１９を制御して、テレビジョン放送受信機１の電源投入時から電源切断時までの時間を計測し、ユーザによる視聴時間をＥＥＰＲＯＭ１７に記憶させる。そして、この制御を電源投入及び切断が実行される毎に繰り返し、累積視聴時間をＥＥＰＲＯＭ１７に記憶させる。制御部２３は、ユーザによる視聴時間が所定の累積視聴時間（例えば１２時間）を超えた場合、ステップ１０６に移行するのである。なお、所定の累積視聴時間については、テレビジョン放送受信機１の出荷時点でデフォルトの時間データをＥＥＰＲＯＭ１５に記憶させておき、リモコン１３、若しくは、操作部１５へのユーザ入力によって、該所定の累積視聴時間の設定を適宜変更することが出来る。反対に、ステップ１０５に於いて、所定の累積視聴時間が経過していない場合には、ステップ１０８に移行する。
【００３７】
ステップ１０８に於いて、スクリーンセーバが起動している場合には、ステップ１０９に移行する。ステップ１０９に於いて、制御部２３は駆動部２１を制御して、除去部２２を表示部９の映像表示面の左右両辺を往復移動させて、表示部９の映像表示面に付着した塵埃等の汚れを除去させて、ステップ１０１に戻る。反対に、ステップ１０８に於いて、スクリーンセーバが起動していない場合には、ステップ１０４に戻る。なお、スクリーンセーバ起動時は、ユーザによって積極的に映像が視聴されていると考える必要はないので、スクリーンセーバ起動時に除去部２２による除去動作を実行しても問題はない。
【００３８】
ステップ１０６に於いて、前述のステップ１０３乃至１０５の条件、つまり、電源投入／切断入力が所定回数以上実行される条件と、初回電源投入時を基準に所定の累積時間が経過する条件と、所定の累積視聴時間が経過する条件の内、何れか一つの条件が満たされた場合、これらの条件の内、何れか一つが満たされていることを示すフラグを立て、ステップ１０７に移行する。具体的には、フラグのデフォルト値は「０」として設定されており、フラグの値が「０」の場合、フラグは無効化されている。そして、フラグを立てる場合には、フラグの値を「１」に設定し、フラグを有効化する。
【００３９】
そして、ステップ１０７に於いて、制御部２３は、次回電源切断後に、所定時間の経過後（例えば５分後）に駆動部２１を制御して、除去部２２を表示部９の映像表示面の左右両辺を往復移動させることによって、表示部９の映像表示面に付着した塵埃等の汚れを除去させ、ステップ１０１に戻る。なお、ステップ１０３乃至１０９に於いては、テレビジョン放送受信機１は電源投入された状態であるので、制御部２３が駆動部２１を制御して
除去部２２を動作させると、表示部９の映像表示面上を除去部２２が往復移動して、ユーザの視聴を妨げることになる。したがって、ステップ１０７に於いて、制御部２３は、次回の電源切断時に於いて駆動部２１を制御して除去部２２を移動させる。また、一般にテレビジョン放送受信機の表示部は、電源投入／切断時に静電気が発生することによって、塵埃を吸着し易くなっている。したがって、所定時間の経過に伴い、塵埃をある程度吸着した後にまとめて塵埃を除去することが出来る。
【００４０】
一方、ステップ１０１に於いて、リモコン１３、若しくは、操作部１５に対して、テレビジョン放送受信機１の電源投入／切断動作の入力が行われ、該動作が電源投入ではない場合、つまり、該動作が電源切断である場合には（Ｓ１０２）、ステップ１１０に移行する。
【００４１】
ステップ１１０に於いて、前述のフラグの値が「１」ではない場合、つまり、以前の電源投入時に於いて、前述のステップ１０３乃至１０５の条件の内、何れの条件も満たしていない場合には、ステップ１１１に移行する。反対に、ステップ１１０に於いて、フラグの値が「１」の場合、つまり、以前の電源投入時に於いて、前述のステップ１０３乃至１０５の内、何れか１つの条件を満たしている場合には、ステップ１１３に移行する。
【００４２】
ステップ１１１に於いて、制御部２３は、前述のステップ１０３と同様に、電源投入／切断入力が所定回数以上（例えば１０回）実行されたか否かを判定する。そして、電源投入／切断作業が所定回数以上実行された場合、ステップ１１３に移行する。反対に、ステップ１１１に於いて電源投入／切断作業が所定回数以上実行されなかった場合、ステップ１１２に移行する。
【００４３】
ステップ１１２に於いて、前述のステップ１０４と同様に、テレビジョン放送受信機１の初回電源投入時を基準に、所定の累積時間（例えば２４時間）が経過した場合、ステップ１１３に移行する。反対に、ステップ１１２に於いて、所定の累積時間が経過していない場合には、ステップ１１２を繰り返す。
【００４４】
ステップ１１３に於いて、制御部２３は、所定時間の経過後（例えば５分後）に駆動部２１を制御して、除去部２２を表示部９の映像表示面の左右両辺を往復移動させることによって、表示部９の映像表示面に付着した塵埃等の汚れを除去させ、ステップ１１４に移行する。そして、ステップ１１４に於いて、制御部２３はフラグの値を「０」としてフラグを無効化（リセット）し、ステップ１０１に戻る。
【００４５】
なお、ステップ１１０、ステップ１１３の順で実行されるステップの内容は、前述のステップ１０７の内容と同一内容である。
【００４６】
[作用効果]
本実施形態に係るテレビジョン放送受信機１によれば、所定回数の電源投入または切断が実行される条件と、所定の累積時間が経過する条件と、所定の累積視聴時間が経過する条件の内、何れか１つを満たす場合に、電源が切断された状態であれば、制御部２３が除去部２２を動作させ、電源が投入された状態であれば、次回電源切断時に制御部２３が除去部２２を動作させる。したがって、電源が投入された状態、つまり、ユーザが表示部９への映像出力を視聴している際に、所定の条件を満たしたとしても、次回の電源切断時まで制御部が除去部２２の動作を保留することが出来るので、適切なタイミングでユーザの視聴を妨げずに表示部９に付着した塵埃等の汚れを除去することが出来る。
【００４７】
また、一般にテレビジョン放送受信機の表示部は、電源投入または切断時に発生する静電気によって塵埃等を吸着しやすい状況になっている。本実施形態に係るテレビジョン放
送受信機１によれば、所定回数の電源投入または切断に応じて除去部２２を動作させることによって、適切なタイミングで表示部９の汚れを除去することが出来る。
【００４８】
また、本実施形態に係るテレビジョン放送受信機１によれば、時間経過と共に表示部９に付着する塵埃等の汚れは増加する傾向にあるので、所定時間の経過に応じて除去部２２を動作させることによって、適切なタイミングで表示部９の汚れを除去することが出来る。具体的には、初回電源投入時からの所定の累積時間が経過した場合に、電源が切断された状態であれば、制御部２３が除去部２２を動作させ、電源が投入された状態であれば、次回電源切断時に制御部２３が除去部２２を動作させる。つまり、テレビジョン放送受信機１の使用状況に関わらず、初回電源投入時を基準に所定の累積時間が経過した場合に表示部に付着した塵埃等の汚れを自動的に除去することが出来るので、利便性が高い。また、所定の累積視聴時間が経過した場合に、電源が切断された状態であれば、制御部２３が除去部２２を動作させ、電源が投入された状態であれば、次回電源切断時に制御部２３が除去部２２を動作させる。つまり、テレビジョン放送受信機の使用頻度に応じて表示部に付着した塵埃等の汚れを自動的に除去することも出来るので、利便性が高い。
【００４９】
また、スクリーンセーバは、表示部２２に同一の静止画が所定時間出力されること等による画面の焼き付きを防ぐために使用されるが、一般に、スクリーンセーバが起動された状態では、ユーザが表示部９の映像出力を積極的に視聴していると考える必要はない。したがって、本実施形態のテレビジョン放送受信機１によれば、スクリーンセーバ起動時に除去部２２を動作させることによって、適切なタイミングで表示部９に付着した塵埃等の汚れを自動的に除去することが出来る。
【００５０】
また、本実施形態に係るテレビジョン放送受信機１によれば、電源投入または切断の所定回数、所定時間の設定を変更可能であるので、テレビジョン放送受信機１が設置された場所の清掃状態や、テレビジョン放送受信機１の使用頻度等、ユーザ毎のニーズに合わせて設定を変更することができ、非常に利便性が高い。
【図面の簡単な説明】
【００５１】
【図１】本実施形態に係るテレビジョン放送受信機１に関する斜視図
【図２】本実施形態に係る除去部２２と駆動部２１に関する斜視図
【図３】本実施形態に係るテレビジョン放送受信機１に関する概略構成図
【図４】本実施形態に係る汚れ除去方法に関するフローチャート
【符号の説明】
【００５２】
１        テレビジョン放送受信機      
２        アンテナ部    
３        チューナ部
４        復調部＆ＦＥＣ部    
５        ＤＥＭＵＸ
５ａ      音声データ
５ｂ      映像データ
５ｃ      情報チャンネルデータ
６        音声信号処理部
７        映像信号処理部    
８        スピーカ部    
９        表示部    
１０      デスクランブラ
１１      ＯＳＤ処理部
１２      スクリーンセーバ生成部
１３      リモコン
１４      赤外線受光部
１５      操作部
１６      ＲＯＭ
１７      ＥＥＰＲＯＭ
１８      カレンダクロック
１９      タイマカウンタ
２０      電源部
２１      駆動部
２１ａ    モータ
２１ｂ    スクリューシャフト
２１ｃ    ベルト
２２      除去部
２２ａ    接続部
１００    筐体
１０１    前面部
１０１ａ  開口部
１０１ｂ  レール部
１０１ｃ  溝部
１０２    背面部
【図１】
2006157699.tif 000003
【図２】
2006157699.tif 000004
【図３】
2006157699.tif 000005
【図４】
2006157699.tif 000006